(57)【要約】      （修正有）【課題】  個人の好み等に応じて形状を自由に選択でき、かつ形状の変更が容易な鏡を安価に提供する。【解決手段】  それぞれ一辺が約ｌ００ｍｍの正方形からなる複数の鏡１と有色タイル２とで組合せ鏡を構成する。鏡１は、平板状の透明なアクリル樹脂からなる合成樹脂材と、その裏面にアルミニウムを蒸着させた反射層と、この反射層の裏面に貼着したマグネット材とから構成する。有色タイル２は、平板状の色付きのアクリル樹脂からなる合成樹脂材と、この裏面に貼着したマグネット材とから構成する。したがってそれぞれの鏡１と有色タイル２とは、例えば玄関ドア等に好きな形状に並べて配置したり、その後に形状を容易に変更したりすることができる。【選択図】  図６
2006204664.tif 000002
【特許請求の範囲】
【請求項１】
複数の鏡から構成され、
上記鏡は、平板状の透明な合成樹脂材と、この合成樹脂材の裏面に設けた反射層と、この反射層の裏面に設けた着脱自在な取り付け手段とから構成され、
それぞれの上記鏡は、被取り付け面に任意の配置に並べて取り付ける
ことを特徴とする組合せ鏡。
【請求項２】
複数の鏡と有色タイルとから構成され、
上記鏡は、平板状の透明な合成樹脂材と、この透明な合成樹脂材の裏面に設けた反射層と、この反射層の裏面に設けた着脱自在な取り付け手段とから構成され、
上記有色タイルは、平板状の色付きの合成樹脂材と、この色付きの合成樹脂材の裏面に設けた着脱自在な取り付け手段とから構成され、
それぞれの上記鏡と有色タイルとは、被取り付け面に任意の配置に並べて取り付ける
ことを特徴とする組合せ鏡。
【請求項３】
請求項１〜２のいずれかにおいて、上記合成樹脂材は、一辺が７０〜１５０ｍｍの正方形であって、厚さが１〜１０ｍｍであることを特徴とする組合せ鏡。
【請求項４】
請求項２〜３のいずれかにおいて、上記有色タイルの表面には、釣り具または収納ポケットのいずれかが設けてあることを特徴とする組合せ鏡。
【請求項５】
請求項１〜４のいずれかの１において、上記鏡または有色タイルのいずれかの１には、玄関ドアに設けた覗き穴に対応する透孔が設けてあることを特徴とする組合せ鏡。
【請求項６】
請求項１〜５のいずれかの１において、上記取り付け手段は、マグネット材であることを特徴とする組合せ鏡。
【請求項７】
請求項１〜６のいずれかの１において、上記合成樹脂材は、アクリル樹脂であることを特徴とする組合せ鏡。
【発明の詳細な説明】
【技術分野】
【０００１】
本発明は、複数の鏡から構成される組合せ鏡に関する。
【背景技術】
【０００２】
従来から鏡は、顔や姿を映す道具として、例えば手鏡や三面鏡等の鏡台、あるいは柱、壁等に取り付けるものとして広く使用されている。また外出時における身だしなみを最終的に確認するために、玄関に近いところに鏡を取り付けたいという要望も多い。このような要望に対して、玄関ドアに設けた覗き窓の機能を損なわずに、玄関ドアに取り付けることのできる鏡が提案されている（例えば、特許文献１参照。）。ところで最近は、生活スタイルが多様化し、鏡についても、各自の好みや生活スタイルや季節等に応じて、形状や設置場所等を自由に変更することができるものが求められている。特に若者の間では、鏡の形状や設置場所等について、オリジナル性を有するものを求める傾向が強くなっている。
【特許文献１】特開２０００−５００４号公報（１頁〜３頁、図１〜図２）
【発明の開示】
【発明が解決しようとする課題】
【０００３】
しかしながら従来の鏡では、上述したニーズに十分応えることが困難であった。すなわち従来の鏡は、基本的に長方形や丸型等の定型的な形状に限られ、各自の好み等に応じた形状の鏡を自由に選択し、かつ安価に入手することは困難であった。また季節等に応じて、形状を変更することは物理的に不可能であり、鏡が大型の場合には、スペース等の制限から設置場所等を変更することは、必ずしも容易ではなかった。
【０００４】
そこで本発明の目的は、個人の好み等に応じて形状を自由に設定できると共に、形状の変更が容易にできる安価な組合せ鏡を提供することにある。
【課題を解決するための手段】
【０００５】
本発明による組合せ鏡の特徴は、複数の鏡から構成され、この鏡は、平板状の透明な合成樹脂材と、この合成樹脂材の裏面に設けた反射層と、この反射層の裏面に設けた着脱自在な取り付け手段とから構成され、それぞれの鏡は、被取り付け面に任意の配置に並べて取り付けることができることにある。
【０００６】
また本発明による組合せ鏡の他の特徴は、複数の鏡と有色タイルとから構成され、この鏡は、平板状の透明な合成樹脂材と、この透明な合成樹脂材の裏面に設けた反射層と、この反射層の裏面に設けた着脱自在な取り付け手段とから構成されている。また上記有色タイルは、平板状の色付きの合成樹脂材と、この色付きの合成樹脂材の裏面に設けた着脱自在な取り付け手段とから構成されている。そしてそれぞれの鏡と有色タイルとは、被取り付け面に任意の配置に並べて取り付けることができることにある。
【０００７】
上記合成樹脂材は、一辺が７０〜１５０ｍｍの正方形であって、厚さが１〜１０ｍｍであることが望ましい。また上記色付きタイルの表面には、釣り具または収納ポケットのいずれかが設けてあることが望ましい。さらに上記鏡または有色タイルのいずれかの１には、玄関ドアに設けた覗き穴に対応する透孔が設けてあることが望ましい。また上記取り付け手段は、マグネット部材であることが望ましい。さらに上記合成樹脂材は、アクリル樹脂であることが望ましい。
【０００８】
ここで「複数の鏡」とは、独立した２以上の鏡を意味し、形状や枚数を問わない。また「透明な合成樹脂材」には、透明であればいかなる種類の合成樹脂も含むが、コストや素材の入手性等の観点より、アクリル樹脂、ポリカーボネート樹脂及び塩化ビニールが望ましい。「反射層」とは、鏡の反射面として使用できるものであれば、その材質を問わない。例えばアルミニウム、銅あるいは銀等の金属の蒸着層や、これらの金属の薄板が該当する。
【０００９】
「着脱自在な取り付け手段」とは、後述する「被取り付け面」への取り付けと取り外しとが、容易に行える手段を意味し、例えば被取り付け面が鉄等の強磁性体のドア等であれば、マグネット材が該当し、マグネットの付かない板壁等であれば、両面テープ等の接着部材が該当する。「被取り付け面」とは、上述した鏡を、着脱自在に取り付けることができる対象を意味し、例えば壁面、柱面、ドアの表面、天井面、洋服箪笥等の家具等の内外面が該当する。
【００１０】
「任意の配置に並べて」とは、それぞれの鏡を任意の位置に配置して、これら複数の鏡からなる全体形状を自由に構成できることを意味し、例えば全体形状が、長方形、丸型、十字型、横や縦や斜め方向に一列に配置した形状、及びコの字やＶの字やリング等の中空部分を含む形状を含む。また個々の鏡を、それぞれの側面を接触させて、つなぎ目の間隔がない場合の他、それぞれの側面が離れているように配置した場合も含む。
【００１１】
「有色タイル」とは、上述した鏡と組み合わせて使用するものであって、１個の場合の他、２個以上の複数の場合も含み、その形状および材質は問わない。但し鏡との形状の整合性等の観点から、鏡と形状、材質あるいは質感等が似ているものを使用することが望ましい。有色の色は、限定しないが、有色タイルが３個以上の場合には、組み合わせたときの色彩の調和や、金属ドア等の被取り付け面との色彩の調和等の観点から、バーミリオン、ブラック、ホワイトの三色とすることが望ましい。
【００１２】
「釣り具」とは、例えばキーホルダー等を引っ掛けることができるフックを意味し、その形状や材質や個数等は問わない。また「収納ポケット」とは、例えば上方に向かって開口するコイン等の小物収納容器を意味するが、その形状は問わない。また有色タイルと一体的に形成する場合の他、この有色タイルに接着剤等の接着手段によって接合した場合も含む。「透孔」とは、鏡等に設けた貫通孔を意味し、その形状を問わない。「マグネット材」とは、いわゆる永久磁石材を意味し、粉末状の永久磁石材を鏡等の裏面全体または部分的に積層したものや、所定の形状の薄板部材からなる永久磁石材を、接着剤等の接着手段によって、裏面全体または一部に接着したものも含む。
【発明の効果】
【００１３】
複数の鏡で構成することによって、これらの鏡を自由に組み合わせて配置できるため、これらの鏡全体としての配置形状を、任意の形状に構成することが可能となる。したがって例えば各個人の好みによって、オリジナルな形状の組み合わせ鏡を、容易かつ自在に構成することができる。鏡の裏面に着脱自在な取り付け手段を設けることによって、鏡の配置を、容易に変更することができる。したがって例えば季節に応じて、組合せ鏡の全体形状を容易に変更することができる。組合せ鏡は、複数の鏡によって構成しているため、大きな反射面積を、サイズの小さい鏡の集合によって構成することができる。したがってそれぞれの鏡自体は、歪みが少ない精度の良いものを、安価なコストで大量生産できる。また保管、陳列、運搬、及び壁等への着脱等の取り扱い等が、極めて容易になる。
【００１４】
素材として合成樹脂材を使用することによって、例えば落下させた場合でも、ガラス鏡のように破損することがなく、安全性を確保することができる。特に壁等への着脱等の際には、誤って床等に落下させるケースも多いため、強い衝撃を受けても破損しない合成樹脂材を使用することによるメリットは極めて大きい。
【００１５】
有色タイルを併用することにより、組合せ鏡のデザイン性を格段に高めることができ、形状や配色についても多様化するニーズに、よりきめ細かく対応することができる。また有色タイルの表面に、釣り具または収納ポケットを設けることにより、例えば、カギを引っ掛けたり印鑑等を収納したりすること等ができ、利便性が高まる。さらに透孔を設けた鏡または有色タイルを、少なくとも一個用意することによって、玄関ドアに設けてある覗き窓の機能を損なわずに、本発明による組合せ鏡を取り付けることが可能で、鏡及び有色タイルの配置の自由度を損なうこともない。
【００１６】
取り付け手段として、マグネット材を使用することによって、鉄製の玄関ドア等の強磁性体からなる被取り付け面に、容易に着脱可能となり、また着脱面を汚損したり傷をつけたりすることがない。また合成樹脂材に、アクリル樹脂を使用することによって、透明度が高く、加工性が良好で、耐気候性が高い、かつ軽量な鏡を製作することができる。
【発明を実施するための最良の形態】
【００１７】
図１〜図８を参照しつつ本発明による組合せ鏡の構成を説明する。図１及び図２に示すように、本発明による組合せ鏡は、平板状の複数の鏡１と、この鏡と同じ形状の複数の有色タイル２とから構成される。鏡１は、一辺が約１００ｍｍの正方形の平板状であって、透明なアクリル材１１と、その裏面に設けた反射層１２と、マグネット部材１３から構成され、全体としての厚みを約５ｍｍとしてある。有色タイル２は、色付きのアクリル材２１と、その裏面に設けたマグネット部材２３とから構成され、形状は、鏡１と同様の一辺が約１００ｍｍ、厚みが約５ｍｍである。
【００１８】
なお一辺を約１００ｍｍとしたのは、市販されているアクリル樹脂の板材から切り出す場合に、端材部分をできるだけ少なくすることができること、これより小さいと、一枚の鏡１に隙間なく写せる面積が小さくなって、顔等を詳細に写す場合に不十分になること、逆にこれより大きくすると、展示や持ち運びや取り付け等がし難くなること等を考慮して決定したためである。また厚みを約５ｍｍとしたのは、この厚さであれば、歪のない精密な平面を保持できる剛性を確保できるからである。但しアクリル樹脂の板材は、厚さが１〜１０ｍｍの範囲であれば、比較的安価に入手できるので、この範囲のもの、例えば厚さが３ｍｍのアクリル樹脂の板材を、透明なアクリル材１１や色付きのアクリル材２１に使用してもよい。
【００１９】
さて反射層１２は、公知の技術によって、透明なアクリル材１１の裏面全体に、アルミニウムを蒸着した層からなり、一方マグネット部材１３、２３は、それぞれ反射層１２、及び色付きのアクリル材２１の裏面全体に、厚さ約０．４ｍｍの永久磁石材を接着剤で貼着してある。また３枚の色付きのアクリル材２１は、バーミリオン、ブラック、及びホワイト色のものを、１枚づつ備えている。なお鏡１と有色タイル２とは、それぞれ４辺の側面を滑らかに仕上げてあり、斜め側方等から見たときの美観を向上させると共に、これらを隣接して配置した場合に、隣接面が隙間なく接して、この隣接部分が反射像に与える影響を少なくさせている。
【００２０】
図３に示す鏡１０１は、上述した鏡１と同じ構成であるが、正方形のほぼ中央部に、玄関の覗き窓に対応した円形の貫通孔からなる透孔１１４が設けてある。なおこのような透孔１１４を、上述した有色タイル２の１枚に設けてもよい。図４は、有色タイル１０２の１枚の表面に、鍵状の釣り具１２４を設けたものを示しており、図５は、有色タイル２０２の１枚の表面に、上方に開口する矩形箱形状の収納ポケット２２５を設けたものを示している。
【００２１】
次に図６〜図８を参照しつつ、被取り付け面の１例として鉄製の玄関ドアを選んだ場合について、上述した鏡１等と有色タイル２等との使用例を説明する。なおこれらの使用例では、上述したような１セットが９枚からなる組合せ鏡を、複数セット使用している。さて図６は、１２枚の図１に示す鏡１と、それぞれ２枚の図２に示す３色の有色タイル２とからなる組合せ鏡を、縦長の矩形形状に、隙間なく配置したものである。鏡１を中央部分に縦３列、横４行に配置し、上下部分に３種の有色タイル２を横一行配置してある。そしてほぼ中央部分に、玄関の覗き窓に対応した円形の貫通孔からなる透孔１１４を設けた、図３に示した鏡１０１を配置してある。
【００２２】
図７に示す組合せ鏡は、１０枚の鏡１を、十文字に配置し、この十文字の４つの先端部分に、それぞれ有色タイル２を１枚づつ配置したものである。なお十文字の交差部の直下には、玄関の覗き窓に対応した円形の貫通孔からなる透孔１１４を設けた、図３に示した鏡１０１を配置してある。また十文字の縦軸の最下位置には、図５に示したような上方に開口する矩形箱形状の収納ポケット２２５を、表面に設けた有色タイル２０２を使用している。
【００２３】
図８に示す組合せ鏡は、９枚の鏡１を、縦一列に配置し、その上下部分に、それぞれ有色タイル２を１枚づつ配置したものである。そして縦１列に配置した鏡１の横に、２枚の鏡１と４枚の有色タイル２とを、ほぼ交互にかつ間隔を開けて配置している。なお縦１列に配置した鏡１のほぼ中央部分には、玄関の覗き窓に対応した円形の貫通孔からなる透孔１１４を設けた、図３に示した鏡１０１を配置してある。また縦１列に配置した鏡１の上部に位置する有色タイルには、図４に示したような、鍵状の釣り具１２４を設けた有色タイル１０２を使用している。
【００２４】
図９に示す組合せ鏡は、７枚の鏡１を、縦一列に傾けて配置し、その上下部分に、それぞれ有色タイル２を１枚づつ配置したものである。そして縦一列に配置した中央部分には、玄関の覗き窓に対応した円形の貫通孔からなる透孔１１４を設けた、図３に示した鏡１０１を配置してある。
【００２５】
なお、鏡１等および有色タイル２等の配置の方法は、上述したものに限らず、個人の好み等に応じて如何様にでも変更可能であることは言うまでもない。また上述した例は、９枚で一セットの組合せ鏡を、複数セット使用しているが、一セットの全部または一部だけを使用することもできる。また玄関ドアだけでなく、壁、柱、天井、あるいは家具等に、組合せ鏡を、自由に配置することも容易にできる。
【産業上の利用可能性】
【００２６】
本発明による組合せ鏡は、公知の材料、技術を用いて、容易かつ安価に大量生産できると共に、従来の鏡に比べて格段にデザインの自由度が高いため、今日におけるオリジナル性を求めるニーズに十分応えることが可能である。したがって鏡や部屋の内装等に関する産業に広く利用できる。
【図面の簡単な説明】
【００２７】
【図１】組合せ鏡を構成する鏡の概略斜視図である。
【図２】組合せ鏡を構成する有色タイルの概略斜視図である。
【図３】透孔を設けた鏡の概略斜視図である。
【図４】釣り具を設けた有色タイルの概略斜視図である。
【図５】収納ポケットを設けた有色タイルの概略斜視図である。
【図６】玄関ドアに取り付けた配置例である。
【図７】玄関ドアに取り付けた他の配置例である。
【図８】玄関ドアに取り付けた他の配置例である。
【図９】玄関ドアに取り付けた他の配置例である。
【符号の説明】
【００２８】
１、１０１              鏡
１１、１１１            透明なニトリル樹脂（合成樹脂材）
１２、１１２            反射層
１３、１１３            マグネット部材
１１４                  透孔
２、１０２、２０２      有色タイル
２１、１２１、２２１    色付きのニトリル樹脂（合成樹脂材）
２３、１２３、２２３    マグネット部材
【図１】
2006204664.tif 000003
【図２】
2006204664.tif 000004
【図３】
2006204664.tif 000005
【図４】
2006204664.tif 000006
【図５】
2006204664.tif 000007
【図６】
2006204664.tif 000008
【図７】
2006204664.tif 000009
【図８】
2006204664.tif 000010
【図９】
2006204664.tif 000011
【手続補正書】
【提出日】平成17年2月7日(2005.2.7)
【手続補正１】
【補正対象書類名】明細書
【補正対象項目名】００２８
【補正方法】変更
【補正の内容】
【００２８】
１、１０１              鏡
１１、１１１            透明なアクリル樹脂（合成樹脂材）
１２、１１２            反射層
１３、１１３            マグネット部材
１１４                  透孔
２、１０２、２０２      有色タイル
２１、１２１、２２１    色付きのアクリル樹脂（合成樹脂材）
２３、１２３、２２３    マグネット部材